(57)【特許請求の範囲】
【請求項１】
モータケースから突出したモータ軸に偏心錘を取着した振動モータ本体と、底上げ窪み部を持つ内側突起を有する平坦状底面部及びこの平坦状底面部の両側縁から起立したドーム状の壁面部を備えており、前記モータケースを軸方向に挿入して前記内側突起とドーム状の前記壁面部とで緊締して保持した筒状の金属製ホルダー枠と、前記モータケースの反偏心錘側の開口を塞ぐ樹脂製端蓋に取着した一対の外部端子片とを有し、前記樹脂製端蓋は前記モータケースと前記平坦状底面部の両側縁の内側との間で夫々に当接して介在する一対のスペーサ部を一体的に備えて成ることを特徴とする振動モータ。
【請求項２】
請求項１に記載の振動モータにおいて、前記金属製ホルダー枠は、前記平坦状底面部の両側縁から前記偏心錘の両脇へ張り出た断面直角の先細状突出部を一体的に備えて成ることを特徴とする振動モータ。
【発明の詳細な説明】
【技術分野】
【０００１】
本発明は、リフローソルダリングによる印刷配線板への表面実装に適した振動モータに関する。
【背景技術】
【０００２】
印刷配線板への表面実装に適した構造の振動モータとしては、例えば、特開平１１−２３４９４３に開示の如く、モータ軸の一端に偏心錘を取着した振動モータ本体と、この振動モータ本体のモータケースを上部から嵌め受けて保持する一対の挟持片を備えた金属製ホルダー枠と、モータケースの反偏心錘側の開口を塞ぐ樹脂製端蓋（エンドブラケット）に取着した一対の外部端子片とを有し、金属製ホルダー枠の平坦状底面及び一対の外部端子片を印刷配線板の固着パターン及び一対の給電パターンにクリーム半田塗布で密着させてリフローソルダリングにより固着したものが知られている。
【特許文献１】特開平１１−２３４９４３（図１〜図３）
【発明の開示】
【発明が解決しようとする課題】
【０００３】
しかしながら、上記の振動モータにあっては次のような問題点があった。
【０００４】
上部に開いた一対の挟持片の弾性力でモータケースを挟着しているため、重量のある偏心錘を持つ振動モータを搭載する携帯電話機の落下等の衝撃発生時には、モータケースが挟持片から外れたり、緩みが生じ易く、耐衝撃信頼性に乏しい。金属製ホルダー枠の平坦状底面に半田溜まり用の底上げ窪み部が形成されているため、一対の挟持片に保持されるモータケースが底上げ窪み部の底上げ面に安定的に当接するには、平坦状側面を持つモータケースの使用を余儀なくされ、丸形周面のモータケースの使用には不向きな構造であった。
【０００５】
そこで上記問題点に鑑み、本発明の課題は、丸形周面のモータケースを使用した場合でも、衝撃発生時においてモータケースが金属製ホルダー枠から外れ難い構造の振動モータを提供することにある。
【課題を解決するための手段】
【０００６】
上記課題を解決するために、本発明に係る振動モータは、モータケースから突出したモータ軸に偏心錘を取着した振動モータ本体と、底上げ窪み部を持つ内側突起を有する平坦状底面部及びこの平坦状底面部の両側縁から起立したドーム状の壁面部を備えており、モータケースを軸方向に挿入して保持する筒状の金属製ホルダー枠と、モータケースの反偏心錘側の開口を塞ぐ樹脂製端蓋に取着した一対の外部端子片とを有し、樹脂製端蓋はモータケースと平坦状底面部の両側縁の内側との間に介在する一対のスペーサ部を一体的に備えて成ることを特徴とする。
【０００７】
金属製ホルダー枠は、上部が開いた一対の挟持片ではなく、平坦状底面部の両側縁から起立したドーム状の壁面部を備えており、モータケースを軸方向に挿入して保持する筒状であるため、衝撃発生時においてモータケースが金属製ホルダー枠から外れ難く、しかも、樹脂製端蓋のスペーサ部がモータケースと平坦状底面部の両側縁の内側とに楔作用で差し込まれて介在しているため、モータケースの保持に緩みがなく、耐衝撃性を向上できる。丸形周面のモータケースを金属製ホルダー枠内に挿入すると、モータケースの周面が内側突起に弾力的に乗り上げてドーム状の壁面部とにより緊締されるので、丸形周面のモータケースを固定保持することができる。
【０００８】
金属製ホルダー枠は、平坦状底面部の両側縁から偏心錘の両脇へ張り出た断面直角の先細状突出部を一体的に備えて成ることが望ましい。振動モータを基板上に設置した状態では、この一対の先細状突出部の支持作用によって、重い偏心錘による振動モータの前倒れを防止できると共に、固着面積の拡大を図ることができる。特に、先細状突出部が断面直角であるため、撓み剛性が高くなり、衝撃発生時における先細状突出部の折曲変形を抑制できる。
【発明を実施するための最良の形態】
【０００９】
次の本発明の実施例を添付図面に基づいて説明する。
【００１０】
図１は本発明の実施例に係る振動モータを示す斜視図、図２は同振動モータの組立斜視図、図３は同振動モータを別の角度から見た組立斜視図、図４は同振動モータのモータ本体の組立図、図５（Ａ）は同振動モータの金属製ホルダー枠の正面図、図５（Ｂ）は同金属製ホルダー枠の背面図、図６（Ａ）は同金属製ホルダー枠の平面図、図６（Ｂ）は同金属製ホルダー枠の底面図、図７（Ａ）は同金属製ホルダー枠の右側面図、図７（Ｂ）は図６（Ａ）中のＡ−Ａ′線で切断した状態を示す断面図である。
【００１１】
本例の振動モータ１は、図１乃至図４に示す如く、丸形周面のモータケース１１の一端部からモータ軸１２が突出し、モータケース１１の他端部の開口を塞ぐ樹脂製端蓋（エンドブラケット）１３に一対の外部端子片１４，１５を取着したモータ本体１０と、突出したモータ軸１２に取着した偏心錘２０と、平坦状底面部３１の両側縁３１ａ，３１ｂから起立したドーム状の壁面部３２を備えた筒状の金属製ホルダー枠３０とを有する。
【００１２】
この金属製ホルダー枠３０は一枚の金属板をプレス成形したもので、平坦状底面部３１は、印刷配線板（図示せず）の固着パターンにリフローソルダリングにより半田付けする面であって、半田溜まりを形成するための底上げ窪み部Ｗを持つ内側突部３１ｆを有している。この金属製ホルダー枠３０のドーム状の壁面部３２は、両側縁３１ａ，３１ｂから折曲形成した起立壁３２ａ，３２ｂと、起立壁３２ａ，３２ｂから折曲形成した傾斜壁３２ｃ，３２ｄと、傾斜壁３２ｃ，３２ｄのいずれか一方から折曲形成した頂上壁３２ｅとから成る。起立壁３２ａ，３２ｂと頂上壁３２ｅの前端部には、ドーム状の壁面部３２内に軸方向に挿入されるモータケース１１の前端部側を当り止めするストッパー片Ｅが折曲形成されている。そして、ドーム状の壁面部３２のうち起立壁３２ａ，３２ｂの上側部分，傾斜壁３２ｃ，３２ｄ及び頂上壁３２ｅが平坦状底面部３１よりも後方へ張り出ている。
【００１３】
平坦状底面部３１の両側縁３１ａ，３１ｂからは前方へ張り出た断面直角の先細状突出部３３，３４が一体的に形成されている。先細状突出部３３，３４は、平坦状底面部３１の延長部分と起立壁３２ａ，３２ｂの延長部分とを側縁３１ａ，３１ｂに揃えて折曲形成したものであって、この折曲形成を容易に行うために、先細状突出部３３，３４の基部には切り欠きＳが形成されている。
【００１４】
樹脂製端蓋１３は、図４に示す如く、ブラシユニットＢを取着してモータケース１１の開口に嵌る円筒部１３ａと、モータケース１１の丸形周面に当接して金属製ホルダー枠３０の両側縁３１ａ，３１ｂの内側に当接する一対のスペーサ突起１３ｂ，１３ｃとを一体的に有する。外部端子片１４，１５はＬ形状で、樹脂製端蓋１３の円筒部１３ａに挿通したモータ端子（図示せず）に半田付して円筒部１３ａの端面に添接した添接部１４ａ，１５ａと、平坦状底面部３１と同レベルに位置して印刷配線板（図示せず）の給電パターンにリフローソルダリングで半田付けされる接合部１４ｂ，１５ｂとから成る。
【００１５】
上記振動モータ１の組立は、図１，図２に示す如く、金属製ホルダー枠３０の後方からモータ本体１０を軸方向に差し込んだ後、大きめの外径を有する偏心錘２０をモータ軸１２にカシメ固定する。金属製ホルダー枠３０は、上部が開いた一対の挟持片ではなく、平坦状底面部３１の両側縁３１ａ、３１ｂから起立したドーム状の壁面部３２を備えており、モータケース１１を軸方向に挿入して保持する筒状であるため、衝撃発生時においてモータケース１１が金属製ホルダー枠３０から外れ難く、しかも、樹脂製端蓋１３のスペーサ突起１３ｂ，１３ｃがモータケース１１と平坦状底面部３１の両側縁３１ａ，３１ｂの内側とに楔作用で差し込まれて介在しているため、モータケース１１の保持に緩みがなく、耐衝撃性を向上できる。丸形周面のモータケース１１を金属製ホルダー枠３０内に挿入すると、モータケース１１の周面が内側突部３１ｆに弾力的に乗り上げてドーム状の壁面部３２とにより緊締されるので、丸形周面のモータケース１１を固定保持することができる。なお、スペーサ突起１３ｂ，１３ｃの先端側は内側突起３１ｆの両脇に差し込まれる。
【００１６】
金属製ホルダー枠３０は、平坦状底面部３１の両側縁３１ａ，３１ｂから偏心錘２０の両脇へ張り出た断面直角の先細状突出部３３，３４を一体的に備えて成る。このため、振動モータ１を印刷配線板（図示せず）上に設置した状態では、この一対の先細状突出部３３，３４の支持作用によって、重い偏心錘２０による振動モータ１の前倒れを防止できると共に、固着面積の拡大を図ることができる。特に、先細状突出部３３，３４が断面直角であるため、撓み剛性が高くなり、衝撃発生時における先細状突出部３３，３４の折曲変形を抑制できる。
【図面の簡単な説明】
【００１７】
【図１】本発明の実施例に係る振動モータを示す斜視図である。
【図２】同振動モータの組立斜視図である。
【図３】同振動モータを別の角度から見た組立斜視図である。
【図４】同振動モータのモータ本体の組立図である。
【図５】（Ａ）は同振動モータの金属製ホルダー枠の正面図、（Ｂ）は同金属製ホルダー枠の背面図である。
【図６】（Ａ）は同金属製ホルダー枠の平面図、（Ｂ）は同金属製ホルダー枠の底面図である。
【図７】（Ａ）は同金属製ホルダー枠の右側面図、（Ｂ）は図６（Ａ）中のＡ−Ａ′線で切断した状態を示す断面図である。
【符号の説明】
【００１８】
１…振動モータ
１１…モータケース
１０…モータ本体
１２…モータ軸
１３…樹脂製端蓋（エンドブラケット）
１３ａ…円筒部
１３ｂ，１３ｃ…スペーサ突起
１４，１５…外部端子片
１４ａ，１５ａ…添接部
１４ｂ，１５ｂ…接合部
２０…偏心錘
３０…金属製ホルダー枠
３１…平坦状底面部
３１ａ，３１ｂ…側縁
３１ｆ…内側突部
３２…ドーム状の壁面部
３２ａ，３２ｂ…起立壁
３２ｃ，３２ｄ…傾斜壁
３２ｅ…頂上壁
３３，３４…先細状突出部
Ｂ…ブラシユニット
Ｅ…ストッパー片
Ｓ…切り欠き
Ｗ…底上げ窪み部
【図１】
0005060228.tif 000002
【図２】
0005060228.tif 000003
【図３】
0005060228.tif 000004
【図４】
0005060228.tif 000005
【図５】
0005060228.tif 000006
【図６】
0005060228.tif 000007
【図７】
0005060228.tif 000008